(57)【要約】【課題】  本発明は、簡易な構造であり、しかも容易な施工により風や振動による不快な音鳴りを防ぐことのできる手すりを提供することにある。【解決手段】  高所からの転落防止や通路に沿って歩行者を支持あるいは通行を規制する手すりであって、支柱７と笠木Ｋと胴縁９と格子８とを備えており、格子９は、笠木Ｋと胴縁９の間に縦方向に配置してあるとともに、笠木Ｋの長手方向に沿って所定の間隔で複数取り付けてあり、笠木Ｋと各格子８との間には、遮音材３が笠木Ｋの全長にわたって一続きに配置してあることを特徴とする。【選択図】      図１
2020066865.tif 000002
【特許請求の範囲】
【請求項１】
高所からの転落防止や通路に沿って歩行者を支持あるいは通行を規制する手すりであって、
支柱と笠木と胴縁と格子とを備えており、格子は、笠木と胴縁の間に配置してあり、笠木と格子の間には、遮音材が笠木の全長にわたって一続きに配置してあることを特徴とする手すり。
【請求項２】
笠木の下端部には、下向きに開放した溝部が設けてあり、当該溝部の溝長手方向の一方側から遮音材を挿入したときに、溝部の下方の溝開口から遮音材の一部が露出し、格子と当接することを特徴とする請求項１記載の手すり。
【請求項３】
溝部は、下方の溝開口側が狭まっており、挿入した遮音材を下方への抜け出しを不能にすることを特徴とする請求項１又は２記載の手すり。
【請求項４】
笠木は、笠木支持材と覆い材とを有しており、笠木支持材は、下端部が格子と当接し、覆い材は、笠木支持材の上部に取り付け可能であることを特徴とする請求項１、２又は３記載の手すり。
【請求項５】
遮音材は、支柱の配置される位置まで形成してあることを特徴とする請求項１、２、３又は４記載の手すり。
【発明の詳細な説明】
【技術分野】
【０００１】
本発明は、風による不快な音鳴りを防ぐ手段を有する手すりに関するものである。
【背景技術】
【０００２】
手すりにはアルミなどの金属製の形材から構成されるものがある。その手すりは、主として、躯体に間隔をあけて複数立設する支柱と、各支柱の上部に架け渡して取り付ける笠木と、各支柱間にそれぞれ架け渡して取り付ける胴縁と、笠木と胴縁との間に配置するパネルまたは格子とから構成される。
【先行技術文献】
【特許文献】
【０００３】
【特許文献１】実開昭５６−１７６９３３号公報
【発明の開示】
【発明が解決しようとする課題】
【０００４】
手すりは、バルコニーや通路などに設置されるものである。このことから、手すりに受けた風圧や、あるいは、歩行者や住人の身体を支えたときに、金属製の構成部品同士が接触することにより、金属材同士が擦れ合って不快な衝突音や摩擦音が発生し、施工された建物の住人や近隣に迷惑をかける問題点があった。
【０００５】
本発明は以上に述べたような実情に鑑み、簡易な構造であり、しかも容易な施工により風や振動による不快な音鳴りを防ぐことのできる手すりを提供することにある。
【課題を解決するための手段】
【０００６】
本発明の請求項１記載の発明は、高所からの転落防止や通路に沿って歩行者を支持する手すりであって、支柱と笠木と胴縁と格子とを備えており、格子は、笠木と胴縁の間に縦方向に配置してあるとともに、笠木の長手方向に沿って所定の間隔で複数取り付けてあり、笠木と各格子の間には、遮音材が笠木の全長にわたって一続きに配置してあることを特徴とする。
【０００７】
本発明の請求項２記載の発明は、笠木の下端部には、下向きに開放した溝部が設けてあり、当該溝部の溝長手方向の一方側から遮音材を挿入したときに、溝部の下方の溝開口から遮音材の一部が露出し、各格子と当接することを特徴とする。
【０００８】
本発明の請求項３記載の発明は、溝部は、下方の溝開口側が狭まっており、挿入した遮音材を下方への抜け出しを不能にすることを特徴とする。
【０００９】
本発明の請求項４記載の発明は、笠木は、笠木支持材と覆い材とを有しており、笠木支持材は、下端部が支柱や格子と当接し、覆い材は、笠木支持材の上部に取り付け可能であることを特徴とする。
【００１０】
本発明の請求項５記載の発明は、支柱の配置される位置まで形成してあることを特徴とする。
【発明の効果】
【００１１】
本発明のうち請求項１記載の発明によれば、笠木の底部に設けてある遮音材が支柱、格子またはパネルの上端部に当接することで、金属材同士の接触がなくなる。これにより、風や振動で格子が連動して笠木と接触したときの不快な衝突音、摩擦音が発生しない。さらに、笠木の長手方向に連続して遮音材が配置されるので、格子の本数やピッチの違いに関わらず、一回の作業ですべての格子や支柱に当接するので施工性が高くなる。
【００１２】
本発明のうち請求項２記載の発明によれば、笠木の下端部に下方が開口した溝部を設け、その溝部に遮音材を挿入することで、遮音材が笠木の所定の箇所に位置決めされて各格子や支柱の上端部に確実に当接する。
【００１３】
本発明のうち請求項３記載の発明によれば、笠木の溝部の溝開口側が狭くなっていることから、溝部に挿入した遮音材が溝開口側で抜け出しを規制される。これにより、遮音材が笠木から離脱せず、しっかりと格子や支柱と当接する。これにより、遮音材が安定して位置を保持されて格子と確実に接触することで、金属材同士が接触する機会がなくなり、不快な衝突音や摩擦音を確実に解消する。
【００１４】
本発明のうち請求項４記載の発明によれば、笠木を笠木支持材と覆い材で構成することにより、笠木支持材にのみ遮音材を取り付けて効率的に施工ができる。さらに覆い材は、任意の意匠に設定することができるので、笠木意匠のバリエーションが豊富になり、商品価値の高い手すりを提供できる。
【００１５】
本発明のうち請求項５記載の発明によれば、格子のほか、支柱に及ぶ範囲で遮音材が介在することから、音鳴りの発生の可能性をさらに抑制することができる。
【図面の簡単な説明】
【００１６】
【図１】本実施による（ａ）は、手すりの要部を拡大して示す縦断面図であり、（ｂ）は、手すり支持材に遮音材を取り付けるときの手順を示す拡大した斜視図である。
【図２】本実施による手すりを示す斜視図である。
【図３】（ａ）は、図２中Ａ−Ａ線を断面し、本実施による手すりにおける遮音材と支柱ならびに各格子との接触状態を示す縦断面図である。（ｂ）は、（ａ）中Ｂ−Ｂ線を断面し、手すりにおける遮音材と支柱ならびに各格子の接触状態を示す横断面図である。
【図４】（ａ）〜（ｄ）は、本実施による手すりの施工手順を示す簡略化した図である。
【図５】実施例に使用する（ａ）は、本願を踏襲した試験体であり、左図が全体正面図、右図がＣ−Ｃ線断面図である。（ｂ）は、対象となる試験体であり、左図が全体正面図、右図がＤ−Ｄ線断面図である。
【図６】図５（ｂ）に示す対象となる試験体に対して風速、風向きの条件を変更して試験した結果を示すものである。
【図７】図５（ａ）に示す本願を踏襲した試験体に対して風速、風向きの条件を変更して試験した結果を示すものである。
【発明を実施するための形態】
【００１７】
以下、本発明の笠木Ｋと、その笠木Ｋを適用した手すりの実施形態を各図面に基づいて説明する。なお、本実施では、格子手すり（笠木Ｋ、支柱７、格子８、胴縁９などから構成する。）に適用したものについて説明する。
【００１８】
笠木（笠木本体）Ｋは、笠木支持材１と、覆い材２と、遮音材３とから構成するものである。
覆い材２は、本実施のものは、上側の内外のコーナー部Ｒ，Ｒが面取りされており、断面形状がいわゆる「かまぼこ」型をなしている。また、覆い材２の下端は、下方に開放しており、その両端は、覆い材２の内周側に跳ね上がるように屈曲しており、それぞれが係止部４，４となって笠木支持材１に係止する。
【００１９】
笠木支持材１は、図１（ａ）のように、下端部が水平に形成してあり、さらに、笠木Ｋの内外方向の両側部には、覆い材２を係止する被係止部５，５がそれぞれ設けてある。さらに、笠木支持材１の中央には、溝部６が設けてあり、この溝部６は、溝底側６ａよりも溝開口側６ｂのほうが溝幅を狭く形成している。これにより、図１（ｂ）のように、溝部６に、遮音材３を溝底側６ａに入れたときに、遮音材３の両端部が溝部６の溝開口側６ｂの狭まりに引っ掛かるので、遮音材３が落下しない。なお、笠木支持材１の溝部６は、上記の形状に限定するものではなく、格子８や笠木Ｋの上端との接触する面積をできるだけ大きくすることが望ましい。さらに、溝部６の溝開口側６ｂの溝幅は、溝底側６ａに比べてできるだけその差を小さくし、笠木支持材１からの遮音材３の離脱と、笠木支持材１や格子８などの金属材への遮音材３による接触面積の確保の両立を図っている。次に被係止部５，５は、その先端が外周側に張り出した膨大状をなしており、笠木支持材１の内外両端部にそれぞれが上方に突出するかたちで設けてある。また、両側にあるそれぞれの被係止部５，５の外周側部には、上部に水平面を有する載置部１０，１０がそれぞれ設けてあり、この載置部１０，１０は、笠木支持材１の被係止部５に覆い材２の係止部４を係止したとき、係止部４の下部が載せられることで、笠木支持材１からの覆い材２の不意な落下を防止する。
【００２０】
遮音材３は、R.PVC（硬質塩化ビニル）とS.PVC（軟質塩化ビニル）とから矩形の薄板状に成形するものである。そして、笠木支持材１とほぼ同じ長さを有しており、笠木支持材１の溝部６の全体に収まる。また、遮音材３の下部は、上部よりも段状に狭幅となっており、その断面形状が下向き凸型をなしている。これにより、遮音材３を笠木支持材１の溝部６に収めたときに、遮音材３の上部３ａは、笠木支持材１の溝底側６ａに収まるとともに、段状に幅狭となった下部３ｂが溝開口側６ｂの部位に係止されることで、遮音材３が笠木支持材１から落下不能となる。さらに、遮音材３の下部は、笠木支持材１の溝開口側６ｂに配置され、遮音材３の下部３ｂが笠木支持材１の下端から僅かに突出する。さらに、溝部６の溝開口側６ｂから僅かに突出した遮音材３は、図３（ａ）（）ｂ）のように、支柱７の上端部と複数の格子８の上端部にそれぞれ接触し、さらに、その状態を保ってネジ１１で固定される。
【００２１】
次に、上記の笠木Ｋを手すりに適用したときの、施工手順について説明する。
第一の手順として、図４（ａ）のように、躯体Ｐの上に間隔をあけて複数の支柱７を立設し、各支柱７の下部間に胴縁９を架け渡してそれぞれを固定する。
第二の手順として図４（ｂ）のように、胴縁９の上部に、その胴縁９の長手方向に沿って間隔をあけて複数の格子８を立設する。
第三の手順として、図４（ｃ）のように、笠木支持材１の溝部６に、笠木支持材１の一方の小口側から遮音材３を挿入し、笠木支持材１の溝底側６ｂから遮音材３の下部３ｂを僅かに突出させた笠木支持材１を用意する。
第四の手順として、各支柱７の上部を架け渡すように笠木支持材１を載置する。このときに、各格子８の上端部が笠木支持材１の溝部６に挿入された遮音材３の突出部分に各々が当接し、笠木支持材１と各格子８の間に遮音材３が挟まった状態となる。
第五の手順として、図４（ｄ）のように、笠木支持材１と各格子８をネジ１１で固定し、さらに、笠木支持材１の上部に覆い材２を被せて互いを係止する。
以上の第一〜第五の各手順を経ることにより、本実施による笠木Ｋを適用した手すりが完成する。
【００２２】
以上のように、本実施による笠木Ｋを構成することにより、以下に示す作用・効果を奏することになる。
上記の笠木Ｋを支柱７および各格子８の上部に取り付けたときに、笠木Ｋを構成している笠木支持材１の溝部６に挿入された遮音材３が、支柱７および各格子８の上端部に当接する。これにより、笠木Ｋと支柱７および各格子８との間に遮音材３が介するので、金属材同士の接触が避けられる。このように、金属材同士の接触が避けられることから、風や地盤振動に伴う手すりへの振動伝達時に、格子の震えによる不快な金属音が発生しない。
さらに、笠木支持材１の溝部６に遮音材３を入れ、笠木支持材１の長手方向の全長にわたって遮音材３が連続して配置される構造である。これにより、支柱７や格子８の本数やピッチを考慮することなく、遮音材３を一つ挿入するだけで、すべての支柱７や格子８との間に介することになるので、従来のように、支柱や格子の1本1本に遮音手段を配置する手間がなく、簡単に遮音構造の手すりを形成できる。
【００２３】
＜実施例＞
実施例として、本願を踏襲した試験体（以下、本願試験体と記す。）と遮音材を備えない試験体（以下、対象試験体）を設置し、それぞれの試験体に所定の風速ならびに所定の風向きで風を順次当てて、振動音の発生の有無と音量の発生を確認した。
＜本願試験体＞
本願試験体は、以下のとおりである。
試験体の全体：  図５（ａ）のように、二本の支柱９間の上部に笠木Ｋ、下部に胴縁９を固定し、笠木Ｋと胴縁９の間に複数の縦格子８を配した構造である。
試験体の寸法：  幅１１００ｍｍ（支柱９，９間ピッチは１１００ｍｍ）、高さ１１２０ｍｍ（ＧＬから笠木Ｋ上端までは１２１５ｍｍ）
笠木：  幅６０ｍｍ、高さ４５ｍｍ（構造は上記実施形態に準ずる。）                  
格子：  見付幅１５ｍｍ、見込幅３１ｍｍで断面は矩形状。
格子ピッチは６０ｍｍ。    
＜対象試験体＞
対象試験体として、図５（ｂ）のように、本願の遮音材３を備えない笠木Ｋを取り付けたものを用意した。
また、対象試験体の寸法は、本願と同じく幅１１００ｍｍ、高さ１１２０ｍｍであり、笠木Ｋと格子８についても同じ条件で行った。
【００２４】
上記の試験結果は、図６と図７のとおりである。
対象試験体では、風速が１２．５〜１５（ｍ／ｓ）の間で弱い振動音が発生し始めた。
さらに、風速２２．５（ｍ／ｓ）からは振動音がはっきりと聞こえるようになった。
これに対して本願試験体は、対象試験体と同様、風速１２．５（ｍ／ｓ）から振動音が発生するものの、風速２５（ｍ／ｓ）までは、風向きが１０°以内の場合に発生が確認できたが、それ以上の角度の風向きでは振動音の発生が抑えられていた。
【００２５】
本願発明は、上記の実施形態のほか、特許請求の範囲内での変更できるものである。
本発明による手すりを構成する格子８、笠木Ｋ、支柱７の断面や大きさは、適宜変更ができる。また、遮音材３の肉厚は、格子８と笠木Ｋの笠木支持材１下端部を突き合わせたときに、格子８の押圧力で大きな変形がしない程度であればよい。さらに、遮音材３は、上記実施形態では笠木支持材１の長手方向の全長にわたって設けてあるが、笠木Ｋに沿って連続したものであれば任意の箇所に切欠部や孔部などの肉抜きなどがあってもよい。また、笠木支持材１に遮音材４を取り付ける手段は、上記実施形態のように溝部６を設けて挿入する構造のほか、笠木支持材１の下端側部に接着またはネジなどの固定具で固定するものでもよい。
【符号の説明】
【００２６】
１  笠木支持材
２  覆い材
３  遮音材
３ａ  上部
３ｂ  下部
４  係止部
５  被係止部
６  溝部
６ａ  溝底側
６ｂ  溝開口側
７  支柱
８  格子
９  胴縁
１０  載置部
１１  ネジ
１２  パネル
Ｋ  笠木
Ｐ  躯体
Ｒ  コーナー部
【図１】
2020066865.tif 000003
【図２】
2020066865.tif 000004
【図３】
2020066865.tif 000005
【図４】
2020066865.tif 000006
【図５】
2020066865.tif 000007
【図６】
2020066865.tif 000008
【図７】
2020066865.tif 000009